(57)【特許請求の範囲】
【請求項１】
構造体の取付面にディスプレイを取付けるための支持構造において、取付面と平行をなし、前方に離間して配置された平板状の基片と、この基片の左右端から後方に向かってそれぞれ延設された側片と、それぞれの側片後端より左右方向の内方に向かって延設された内向片とによって構成され、前記基片に左右方向を向く横長のスリットが、互いに離間して上下に複数段設けられている支持基体を、取付手段をもって構造体の取付面に取付けるとともに、支持基体の基片と平行をなす平板状の支持片と、この支持片より後方に向かって突設された上下１対の係止爪とを有し、ディスプレイを連結しうる支持部材が取付可能とされる支持金具を、支持基体の基片における上下に位置するスリットの下縁または上縁に、支持金具の上下の係止爪をそれぞれ係止させて支持基体に取付け、かつ支持金具の支持片に穿設された前後方向を向くねじ孔に、固定ねじを前方から螺合させることにより、前記固定ねじの先端部を、基片のスリットを挿通して、内向片前面に圧接させることによって、支持基体と支持金具間のがたつきを抑え、ディスプレイを安定的に支持するようにしたことを特徴とするディスプレイの支持構造。
【請求項２】
支持基体を構造体の取付面に取付ける取付手段として、構造体の取付面に、内部が幅広な係合溝の下前端縁から係合縁部を立設して開口部よりも内部が幅広な左右方向の係合溝を設けるとともに、支持基体の後部より、下向き爪部を有する係合片を後方に向かって突設し、かつ、前記係合片の下向き爪部を係合溝の係合縁部に係合させたことを特徴とする請求項１記載のディスプレイの支持構造。
【請求項３】
支持金具の係止爪を下向き爪部を有するものとし、上下の係止爪における下向き爪部を、支持基体における基片の上下に位置するスリットの下縁に、それぞれ係止させたことを特徴とする請求項１または２記載のディスプレイの支持構造。
【請求項４】
支持基体の基片に穿設された前後方向を向くねじ孔に、固定ねじを前方から螺合させることにより、前記固定ねじの先端部を、構造体の取付面に設けた係合溝の溝底に圧接させることによって、構造体と支持基体間のがたつきを抑えるようにしたことを特徴とする請求項１〜３のいずれかに記載のディスプレイの支持構造。
【請求項５】
支持金具の支持片に穿設されたねじ孔に螺合する固定ねじの先端部を、支持基体における基片の内向片前面に圧接して、前記内向片を後方に向かって弾性変形させることにより、構造体と支持基体間のがたつきを抑えるようにしたことを特徴とする請求項１〜３のいずれかに記載のディスプレイの支持構造。
【請求項６】
固定ねじを螺合する、支持金具の支持片におけるねじ孔を、上下の係止爪の中間位置に設けたことを特徴とする請求項１〜５のいずれかに記載のディスプレイの支持構造。
【請求項７】
支持金具の支持片におけるねじ孔に螺合する固定ねじの径を、支持基体の基片におけるスリットの上下方向の幅とほぼ同寸、またはやや小さく形成したことを特徴とする請求項１〜６のいずれかに記載のディスプレイの支持構造。
【請求項８】
支持金具の支持片、または支持基体の基片に穿設された、固定ねじを螺合するためのねじ孔を、前記支持片または基片に通孔を穿設するとともに、支持片または基片の後面における前記通孔の位置に、ナットを溶接することにより形成したことを特徴とする請求項１〜７のいずれかに記載のディスプレイの支持構造。
【発明の詳細な説明】
【技術分野】
【０００１】
本発明は、構造体の取付面にディスプレイを取付けるための支持構造に関する。
【背景技術】
【０００２】
一般に構造体に物品を取付ける手段としては、接着剤または取付ねじを用いて取付ける方法（特許文献１）がある。
しかし、これらの方法は、物品の取付位置を変更する頻度が高い用途には適していない。
特に、取付けの対象物品がディスプレイである場合は、使用者の体格や使い勝手に応じて、取付位置を上下方向にも変更できることが望まれている。
かかる要望に応じて、取付位置を上下方向に変更可能としたディスプレイ取付装置に関する発明が開示されている（特許文献２）。
【０００３】
しかし、前記発明は、取付位置を上下方向に容易に変更できるという長所を有する反面、大きい重量のディスプレイをがたつくことなく安定的に支持するという面において、未だ未解決の問題を内包している。
【特許文献１】特開２００６−２０４７０５号公報
【特許文献２】特開２００２−１７２０３０号公報
【発明の開示】
【発明が解決しようとする課題】
【０００４】
本発明は、ディスプレイは、その画面を容易に見得るようにするためには、まずがたつくことなく安定的に支持することが極めて重要であるとのディスプレイとしての本質的な問題に着目し、使用者の体格や用途に応じて、取付位置を上下方向に容易に変更できるとともに、がたつくことなく安定的に支持することができるディスプレイの支持構造を提供することを目的とする。
【課題を解決するための手段】
【０００５】
本発明によると、上記課題は、特許請求の範囲における各請求項に示すように、下記の構成を備える発明によって解決される。
(１)  構造体の取付面にディスプレイを取付けるための支持構造において、取付面と平行をなし、前方に離間して配置された平板状の基片と、この基片の左右端から後方に向かってそれぞれ延設された側片と、それぞれの側片後端より左右方向の内方に向かって延設された内向片とによって構成され、前記基片に左右方向を向く横長のスリットが、互いに離間して上下に複数段設けられている支持基体を、取付手段をもって構造体の取付面に取付けるとともに、支持基体の基片と平行をなす平板状の支持片と、この支持片より後方に向かって突設された上下１対の係止爪とを有し、ディスプレイを連結しうる支持部材が取付可能とされる支持金具を、支持基体の基片における上下に位置するスリットの下縁または上縁に、支持金具の上下の係止爪をそれぞれ係止させて支持基体に取付け、かつ支持金具の支持片に穿設された前後方向を向くねじ孔に、固定ねじを前方から螺合させることにより、前記固定ねじの先端部を、基片のスリットを挿通して、内向片前面に圧接させることによって、支持基体と支持金具間のがたつきを抑え、ディスプレイを安定的に支持するようにしたことを特徴とするディスプレイの支持構造とする。
【０００６】
(２)  上記(１)項において、支持基体を構造体の取付面に取付ける取付手段として、構造体の取付面に、内部が幅広な係合溝の下前端縁から係合縁部を立設して開口部よりも内部が幅広な左右方向の係合溝を設けるとともに、支持基体の後部より、下向き爪部を有する係合片を後方に向かって突設し、かつ、前記係合片の下向き爪部を係合溝の係合縁部に係合させる。
【０００７】
(３)  上記(１)項または(２)項において、支持金具の係止爪を下向き爪部を有するものとし、上下の係止爪における下向き爪部を、支持基体における基片の上下に位置するスリットの下縁に、それぞれ係止させる。
【０００８】
(４)  上記(１)項〜(３)項のいずれかにおいて、支持基体の基片に穿設された前後方向を向くねじ孔に、固定ねじを前方から螺合させることにより、前記固定ねじの先端部を、構造体の取付面に設けた係合溝の溝底に圧接させることによって、構造体と支持基体間のがたつきを抑えるようにする。
【０００９】
(５)  上記(１)項〜(３)項のいずれかにおいて、支持金具の支持片に穿設されたねじ孔に螺合する固定ねじの先端部を、支持基体における内向片前面に圧接して、前記内向片を後方に向かって弾性変形させることにより、構造体と支持基体間のがたつきを抑えるようにする。
【００１０】
(６)  上記(１)項〜(５)項のいずれかにおいて、固定ねじを螺合する、支持金具の支持片におけるねじ孔を、上下の係止爪の中間位置に設ける。
【００１１】
(７)  上記(１)項〜(６)項のいずれかにおいて、支持金具の支持片におけるねじ孔に螺合する固定ねじの径を、支持基体の基片におけるスリットの上下方向の幅とほぼ同寸、またはやや小さく形成する。
【００１２】
(８)  上記(１)項〜(７)項のいずれかにおいて、支持金具の支持片、または支持基体の基片に穿設された、固定ねじを螺合するためのねじ孔を、前記支持片または基片に通孔を穿設するとともに、支持片または基片の後面における前記通孔の位置に、ナットを溶接することにより形成する。
【発明の効果】
【００１３】
本発明によると、次のような効果が奏せられる。
請求項１記載の発明によれば、構造体の取付面に、ディスプレイを支持基体および支持金具を介して取付けるとともに、支持金具が支持基体に互いに離間して上下に複数段設けられているスリットに係止して取付けられているため、取付位置を上下方向に容易に変更できる。
また、支持金具の支持片に穿設されたねじ孔に、固定ねじを螺合させ、この固定ねじの先端部を、支持基体の基片のスリットを挿通して、内向片前面に圧接させてあるため、支持基体と支持金具間のがたつきが抑えられ、ディスプレイを安定的に支持することができる。
【００１４】
請求項２記載の発明によれば、支持基体を、構造体の取付面に設けられた左右方向の係合溝に係合させてあるため、取付位置を左右方向に容易に変更できるとともに、支持基体の構造体への取付けも容易である。
【００１５】
請求項３記載の発明によれば、支持金具を支持基体に容易に、かつ安定的に取付けることができる。
【００１６】
請求項４記載の発明によれば、支持基体を構造体の取付面にがたつきを抑えて安定的に取付けることができるとともに、支持基体の左右方向の取付位置の位置決めがなされる。また、取付位置を左右方向に変更する場合にも、単に固定ねじをゆるめて、左右方向の所望の位置に移動させた後に、再度、固定ねじを締めなおすだけの簡単な操作で、容易に左右方向の取付位置を変更することができる。
【００１７】
請求項５記載の発明によれば、構造体と支持基体間のがたつきが抑えられるため、ディスプレイをより安定的に支持することができる。
また、がたつきの抑え程度を、固定ねじの締めつけを調節することにより、容易に調節することができる。
【００１８】
請求項６記載の発明によれば、ねじ孔が、上下の係止爪の中間位置に設けられているため、前記ねじ孔に螺合する固定ねじによって、上下の係止爪におけるがたつきを効果的に抑えることができる。
【００１９】
請求項７記載の発明によれば、固定ねじが、支持基体と支持金具との係止に対する抜け止めとして作用する。
【００２０】
請求項８記載の発明によれば、支持金具の支持片、または支持基体の基片の厚みが小さい場合にも、容易にねじ孔を形成することができるため、このねじ孔に螺合する固定ねじを締めつける力を、ディスプレイの重量に応じて大きくしたい場合にも、容易に対応することができる。
【発明を実施するための最良の形態】
【００２１】
以下、本発明を図面に基づいて詳説する。  
図１は、本発明を適用して、構造体としてのパネルに、ディスプレイを支持した斜視図、図２は、図１におけるII−II線拡大断面図、図３は、図２におけるIII−III線断面図、図４は、図１における円Ａ内の部分拡大分解斜視図である。
以下、図２における右側を前方、左側を後方として説明する。
【００２２】
図１、図２に示すようにパネル（構造体）１の取付面２には、開口部３よりも内部が幅広な左右方向の係合溝４が上下に二段設けられている。
この係合溝４を利用して、支持基体５が、パネル１の取付面２に取付けられている。
【００２３】
支持基体５の前面には、左右方向を向く横長のスリット６が、互いに離間して上下に複数段設けられている。
このスリット６を利用して、支持金具７が、支持基体５の前面に取付けられている。
支持金具７の前面には、ディスプレイ９に連結される支持部材８が溶接されている。
【００２４】
図５は、支持基体５の拡大斜視図、図６は、支持金具７の拡大斜視図、図７は、支持部材８の拡大斜視図である。
【００２５】
支持基体５は、パネル１の取付面２と平行をなし、前方に離間して配置された平板状の基片１１と、この基片１１の左右端から後方に向かってそれぞれ延設された側片１２と、それぞれの側片後端より左右方向の内方に向かって延設された内向片１３とによって構成されている。
【００２６】
基片１１は、縦長の四辺形状をなし、前記のように左右方向を向く横長のスリット６が、互いに離間して上下に複数段設けられている。
左右の側片１２の上下端には、後端に下向き爪部１４ａを有する係合片１４が後方に向かって突設されている。
【００２７】
パネル１の取付面２における上下の係合溝４は、内部が幅広な係合溝の上下前端縁に係合縁部４ａ、４ｂを設けて、開口部３よりも内部が幅広な溝に形成されている。
【００２８】
支持基体５における上下の係合片１４の下向き爪部１４ａを、それぞれ上下の係合溝４の下側係合縁部４ｂに係合させることにより、支持基体５がパネル１の取付面２に取付けられている。
【００２９】
支持基体５の基片１１の上下端における左右中央には、通孔１５が穿設されるとともに、基片１１の後面における前記通孔１５の位置には、ナット１６が溶接されて、前後方向を向くねじ孔１７が形成されている。
【００３０】
このねじ孔１７に、固定ねじ１８を前方から螺合させることにより、前記固定ねじ１８の先端部１８ａを、係合溝４の溝底１０に圧接させることによって、パネル１と支持基体５間のがたつきを抑えるようにしてある。
【００３１】
支持金具７は、支持基体５の基片１１と平行をなす平板状の支持片１９と、この支持片１９より後方に向かって突設された上下１対の係止爪２０、２０とより構成されている。
【００３２】
支持片１９は、縦長の四辺形状をなし、上下端を後方に向かって折り曲げるようにして形成された係止爪２０、２０の後端は、下向きに折り曲げられて、下向き爪部２０ａとされている。これらの下向き爪部２０ａを、支持基体５における基片１１の上下に位置するスリット６の下縁６ａに係止することにより、支持金具７が支持基体５に取付けられている。
【００３３】
なお、支持金具７の係止爪２０を、上向き爪部を有するものとし、この上向き爪部を、支持基体５における基片１１のスリット６の上縁６ｂに係止することにより、支持金具７を支持基体５に取付けてもよい。
【００３４】
支持金具７における支持片１９の左右端には、上下の係止爪２０、２０の中間位置に、通孔２１が穿設されるとともに、支持片１９の後面における前記通孔２１の位置には、ナット２２が溶接されて、前後方向を向くねじ孔２３が形成されている。
【００３５】
このねじ孔２３に、固定ねじ２４を前方から螺合させることにより、前記固定ねじ２４の先端部２４ａを、基片１１のスリット６を挿通して、内向片１３の前面に圧接させて、支持基体５と支持金具７間のがたつきを抑えるようにしてある（図３参照）。
【００３６】
なお、前記固定ねじ２４の先端部２４ａを、内向片１３の前面に強く圧接させて、内向片１３を後方に向かって弾性変形させることにより、パネル１と支持基体５間のがたつきを同時に抑えるようにしてもよい。
【００３７】
固定ねじ２４の径は、支持基体５の基片１１におけるスリット６の上下方向の幅とほぼ同寸またはやや小さく形成されて、固定ねじ２４が、支持基体５と支持金具７との係止に対する抜け止めとして作用している。
【００３８】
支持金具７における支持片１９の左右端は後方に折り曲げられ、前記固定ねじ２４やナット２２の側方視に対するカバーとなっている。
支持金具７の前面には、ディスプレイ９を連結可能な支持部材８が溶接により取付けられている。
【００３９】
支持部材８は、図７に示すように、左右端が前方に折り曲げられた縦長な四辺形状の基板２５と、この基板２５の上下端から前方に向けて延設された平面視弧状の前端縁を有する連結片２６、２６とから形成され、側面視コ字状をなしている。
【００４０】
図２に示すように、上下の連結片２６の中央には、通孔２７が穿設されている。
ディスプレイ９の連結部２８にも、同じく通孔２９が設けられており、支持部材８における連結片２６の通孔２７と、ディスプレイ９における連結部２８の通孔２９とを位置合わせして、両通孔２７、２９に連結杆３０を挿通することにより、ディスプレイ９が、連結杆３０のまわりに回動自在に連結されている。
【図面の簡単な説明】
【００４１】
【図１】本発明を適用して、構造体としてのパネルに、ディスプレイを支持した斜視図である。
【図２】図１におけるII−II線拡大断面図である。
【図３】図２におけるIII−III線断面図である。
【図４】図１における円Ａ内の部分拡大分解斜視図である。
【図５】支持基体の拡大斜視図である。
【図６】支持金具の拡大斜視図である。
【図７】支持部材の拡大斜視図である。
【符号の説明】
【００４２】
１  パネル（構造体）
２  取付面
３  開口部
４  係合溝
４ａ、４ｂ  係合縁部
５  支持基体
６  スリット
６ａ  下縁
７  支持金具
８  支持部材
９  ディスプレイ
１０  溝底
１１  基片
１２  側片
１３  内向片
１４  係合片
１４ａ  下向き爪部  
１５  通孔
１６  ナット
１７  ねじ孔
１８  固定ねじ
１８ａ  先端部
１９  支持片
２０  係止爪
２０ａ  下向き爪部
２１  通孔
２２  ナット
２３  ねじ孔
２４  固定ねじ
２４ａ  先端部
２５  基板
２６  連結片
２７  通孔
２８  連結部
２９  通孔
３０  連結杆
【図１】
0005059553.tif 000002
【図２】
0005059553.tif 000003
【図３】
0005059553.tif 000004
【図４】
0005059553.tif 000005
【図５】
0005059553.tif 000006
【図６】
0005059553.tif 000007
【図７】
0005059553.tif 000008